(57)【要約】【課題】地上アナログ放送信号の停止に伴って視聴者に不快感を与える不都合を回避し得るテレビを提供する。【解決手段】地上アナログ放送を含む複数の放送形式による放送信号を受信する第１チューナ１１ａおよび第２チューナ１１ｂと、各チューナ１１ａ，１１ｂから出力された放送信号に基づく画像を表示する表示部１６と、表示部１６に出力させる放送信号の放送形式を切り替えるセレクタ１２と、放送形式の切り替えの実行を指示する操作キーを有するリモコン１８と、操作キーの操作毎に所定の切替順序での放送形式の切り替えをセレクタ１２に実行させる制御部２０とを備え、制御部２０は、地上アナログ放送の終了を検出した後に操作キーが操作されたときに所定の切替順序から地上アナログ放送を除いた新たな切替順序での放送形式の切り替えをセレクタ１２に実行させる。【選択図】図１
2008160246.tif 000002
【特許請求の範囲】
【請求項１】
地上アナログ放送を含む複数の放送形式の放送信号を受信する受信部と、前記受信部から出力された前記放送信号に基づく画像を表示する表示部と、前記表示部に出力させる前記放送信号の放送形式を切り替える切替部と、前記放送形式の切り替えの実行を指示する操作キーと、前記操作キーの操作毎に所定の切替順序での前記放送形式の切り替えを前記切替部に実行させる制御部とを備えたテレビであって、
前記地上アナログ放送の終了を検出する検出部を備え、
前記制御部は、前記検出部によって前記地上アナログ放送の終了が検出された後に前記操作キーが操作されたときに前記所定の切替順序から当該地上アナログ放送を除いた新たな切替順序での前記放送形式の切り替えを前記切替部に実行させるテレビ。
【請求項２】
地上アナログ放送を含む複数の放送形式の放送信号を受信する受信部と、前記受信部から出力された前記放送信号に基づく画像を表示する表示部と、前記表示部に出力させる前記放送信号の放送形式を切り替える切替部と、前記各放送形式にそれぞれ対応付けられて前記放送形式の切り替えの実行を指示する複数の操作キーと、前記操作キーの操作に従って前記放送形式の切り替えを前記切替部に実行させる制御部とを備えたテレビであって、
前記地上アナログ放送の終了を検出する検出部を備え、
前記制御部は、前記検出部によって前記地上アナログ放送の終了が検出された後に前記地上アナログ放送に対応付けられている前記操作キーが操作されたときに当該地上アナログ放送への切り替えの停止および当該地上アナログ放送を除く他の放送形式への切り替えのいずれか一方を前記切替部に実行させるテレビ。
【請求項３】
前記制御部は、前記地上アナログ放送が終了する以前の所定期間において前記地上アナログ放送への切り替えを前記切替部に実行させる際に当該地上アナログ放送が終了する旨を前記表示部に表示させる請求項１または２記載のテレビ。
【請求項４】
地上アナログ放送を含む複数種類の放送形式の放送信号を受信するテレビの受信部から当該テレビの表示部に出力させる当該放送信号の放送形式を操作キーの操作毎に所定の切替順序で切替部に切り替えさせる放送形式切替制御方法であって、
前記地上アナログ放送の終了後において前記操作キーが操作されたときに前記所定の切替順序から当該地上アナログ放送を除いた新たな切替順序での前記放送形式の切り替えを前記切替部に実行させる放送形式切替制御方法。
【請求項５】
地上アナログ放送を含む複数種類の放送形式の放送信号を受信するテレビの受信部から当該テレビの表示部に出力させる当該放送信号の放送形式を当該各放送形式にそれぞれ対応付けられた複数の操作キーの操作に従って切替部に切り替えさせる放送形式切替制御方法であって、
前記地上アナログ放送の終了後において前記地上アナログ放送に対応付けられている前記操作キーが操作されたときに当該地上アナログ放送への切り替えの停止および当該地上アナログ放送を除く他の放送形式への切り替えのいずれか一方を前記切替部に実行させる放送形式切替制御方法。
【発明の詳細な説明】
【技術分野】
【０００１】
本発明は、地上アナログ放送を含む複数の放送形式の放送信号を受信する受信部から表示部に出力させる放送信号の放送形式を切り替える切替部を備えたテレビ、およびそのテレビの切替部による放送形式の切り替えを制御する放送形式切替制御方法に関するものである。
【背景技術】
【０００２】
この種のテレビとして、特開２００６−５７８５号公報に開示されたテレビ受信機が知られている。このテレビ受信機は、アナログ放送信号（地上アナログ放送信号）を処理するアナログテレビ受信専用回路と、デジタル放送信号を処理するデジタルテレビ受信専用回路と、両回路に電力を供給する電源部と、電源部を制御するコントローラとを備えて構成されている。このテレビ受信機では、アナログ放送の廃止（地上アナログ放送の終了）後において、ユーザによる手動設定、およびコントローラによる自動設定のいずれかの方法で、アナログテレビ受信専用回路への電源部からの電力供給を停止することが可能となっている。このため、アナログ放送の廃止後における無駄な電力消費を低減することが可能となっている。
【特許文献１】特開２００６−５７８５号公報（第４−５頁、第１図）
【発明の開示】
【発明が解決しようとする課題】
【０００３】
ところが、従来のテレビ受信機には、以下の問題点がある。すなわち、このテレビ受信機では、アナログ放送の廃止後にアナログテレビ受信専用回路への電力供給が停止される。この場合、アナログテレビ受信専用回路への電力供給が停止された状態においてアナログ放送の受信を指示する操作を行ったときには、いわゆる「砂嵐」状態の画面が表示部に表示される。このため、このテレビ受信機には、アナログ放送の廃止後にアナログ放送の受信指示操作を行う度に、砂嵐状態の画面が表示されて、これに起因して視聴者に不快感を与える不都合が生じるという問題点が存在する。
【０００４】
本発明は、かかる問題点に鑑みてなされたものであり、地上アナログ放送の終了に伴って生じる不都合を回避し得るテレビおよび放送形式切替制御方法を提供することを主目的とする。
【課題を解決するための手段】
【０００５】
上記目的を達成すべく本発明に係るテレビは、地上アナログ放送を含む複数の放送形式の放送信号を受信する受信部と、前記受信部から出力された前記放送信号に基づく画像を表示する表示部と、前記表示部に出力させる前記放送信号の放送形式を切り替える切替部と、前記放送形式の切り替えの実行を指示する操作キーと、前記操作キーの操作毎に所定の切替順序での前記放送形式の切り替えを前記切替部に実行させる制御部とを備えたテレビであって、前記地上アナログ放送の終了を検出する検出部を備え、前記制御部は、前記検出部によって前記地上アナログ放送の終了が検出された後に前記操作キーが操作されたときに前記所定の切替順序から当該地上アナログ放送を除いた新たな切替順序での前記放送形式の切り替えを前記切替部に実行させる。
【０００６】
また、本発明に係る放送形式切替制御方法は、地上アナログ放送を含む複数種類の放送形式の放送信号を受信するテレビの受信部から当該テレビの表示部に出力させる当該放送信号の放送形式を操作キーの操作毎に所定の切替順序で切替部に切り替えさせる放送形式切替制御方法であって、前記地上アナログ放送の終了後において前記操作キーが操作されたときに前記所定の切替順序から当該地上アナログ放送を除いた新たな切替順序での前記放送形式の切り替えを前記切替部に実行させる。
【０００７】
このテレビおよび放送形式切替制御方法によれば、地上アナログ放送の終了後において操作キーが操作されたときに所定の切替順序から地上アナログ放送を除いた新たな切替順序での放送形式の切り替えを切替部に実行させることにより、地上アナログ放送の終了後においても地上アナログ放送への切り替えが行われる従来のテレビとは異なり、操作キーの操作によって砂嵐状態の画面が表示される事態を確実に回避することができるため、これに起因して視聴者に不快感を与える不都合を確実に防止することができる。
【０００８】
また、本発明に係るテレビは、地上アナログ放送を含む複数の放送形式の放送信号を受信する受信部と、前記受信部から出力された前記放送信号に基づく画像を表示する表示部と、前記表示部に出力させる前記放送信号の放送形式を切り替える切替部と、前記各放送形式にそれぞれ対応付けられて前記放送形式の切り替えの実行を指示する複数の操作キーと、前記操作キーの操作に従って前記放送形式の切り替えを前記切替部に実行させる制御部とを備えたテレビであって、前記地上アナログ放送の終了を検出する検出部を備え、前記制御部は、前記検出部によって前記地上アナログ放送の終了が検出された後に前記地上アナログ放送に対応付けられている前記操作キーが操作されたときに当該地上アナログ放送への切り替えの停止および当該地上アナログ放送を除く他の放送形式への切り替えのいずれか一方を前記切替部に実行させる。
【０００９】
また、本発明に係る放送形式切替制御方法は、地上アナログ放送を含む複数種類の放送形式の放送信号を受信するテレビの受信部から当該テレビの表示部に出力させる当該放送信号の放送形式を当該各放送形式にそれぞれ対応付けられた複数の操作キーの操作に従って切替部に切り替えさせる放送形式切替制御方法であって、前記地上アナログ放送の終了後において前記地上アナログ放送に対応付けられている前記操作キーが操作されたときに当該地上アナログ放送への切り替えの停止および当該地上アナログ放送を除く他の放送形式への切り替えのいずれか一方を前記切替部に実行させる。
【００１０】
このテレビおよび放送形式切替制御方法によれば、地上アナログ放送の終了後において地上アナログ放送に対応付けられている操作キーが操作されたときに地上アナログ放送への切り替えの停止および地上アナログ放送を除く他の放送形式への切り替えのいずれか一方を切替部に実行させることにより、地上アナログ放送の終了後においても地上アナログ放送への切り替えが行われる従来のテレビとは異なり、地上アナログ放送に対応付けられている操作キーの操作によって砂嵐状態の画面が表示される事態を確実に回避することができるため、これに起因して視聴者に不快感を与える不都合を確実に防止することができる。
【００１１】
また、本発明に係るテレビは、前記制御部は、前記地上アナログ放送が終了する以前の所定期間において前記地上アナログ放送への切り替えを前記切替部に実行させる際に当該地上アナログ放送が終了する旨を前記表示部に表示させる。
【００１２】
このテレビによれば、地上アナログ放送が終了する以前の所定期間において地上アナログ放送への切り替えを切替部に実行させる際に地上アナログ放送が終了する旨を表示部に表示させることにより、地上アナログ放送の終了を視聴者に対して事前に報知することができる。したがって、視聴者は、録画予約の修正やチャンネルプリセットの修正等の事前の準備を確実に行うことができる。
【発明を実施するための最良の形態】
【００１３】
以下、本発明に係るテレビおよび放送形式切替制御方法の最良の形態について、添付図面を参照して説明する。図１に示すプロジェクションテレビ（以下、単に「テレビ」ともいう）１は、本発明に係るテレビの一例であって、同図に示すように、第１チューナ１１ａ、第２チューナ１１ｂ（以下、第１チューナ１１ａおよび第２チューナ１１ｂを区別しないときには「チューナ１１」ともいう）、セレクタ１２、チューナ用電源部１３、デコーダ１４、画像音声処理部１５、表示部１６、音声出力部１７、リモコン１８、ＩＲ受信部１９、制御部２０、および記憶部２１を備えて構成されている。
【００１４】
第１チューナ１１ａは、図外のアンテナを介して受信した地上アナログ放送信号Ｓｂ１から選局操作によって選局されたチャンネルの地上アナログ放送信号Ｓｂ１を抽出してセレクタ１２に出力する。第２チューナ１１ｂは、図外のアンテナを介して受信した地上デジタル放送信号Ｓｂ２、ＢＳ放送信号Ｓｂ３およびＣＳ放送信号Ｓｂ４（以下、各放送信号Ｓｂ１〜Ｓｂ４を区別しないときには、単に「放送信号Ｓｂ」ともいう）から選局操作によって選局されたチャンネルの各放送信号Ｓｂ２〜Ｓｂ４を抽出してセレクタ１２に出力する。また、第２チューナ１１ｂは、各放送信号Ｓｂ２〜Ｓｂ４や標準電波から現在の日時を取得して、日時データＤｔを制御部２０に出力する。なお、第１チューナ１１ａおよび第２チューナ１１ｂによって本発明における受信部が構成される。また、地上アナログ放送、地上デジタル放送、ＢＳ放送およびＣＳ放送が本発明における複数の放送形式に相当する。
【００１５】
セレクタ１２は、本発明における切替部に相当し、制御部２０の制御に従い、上記の各放送形式を切り替えて、各放送形式の放送信号Ｓｂをデコーダ１４に出力する。つまり、セレクタ１２は、第１チューナ１１ａおよび第２チューナ１１ｂから出力される各放送信号Ｓｂ１〜Ｓｂ４のいずれか１種類をデコーダ１４に出力する。チューナ用電源部１３は、制御部２０の制御に従い、第１チューナ１１ａおよび第２チューナ１１ｂに電力Ｐを供給する。デコーダ１４は、セレクタ１２から出力された放送信号Ｓｂを処理して放送信号Ｓｂｄを画像音声処理部１５に出力する。画像音声処理部１５は、デコーダ１４によって処理された放送信号Ｓｂに基づいて画像信号Ｓｇおよび音声信号Ｓｓを生成して、画像信号Ｓｇを表示部１６に出力すると共に、音声信号Ｓｓを音声出力部１７に出力する。また、画像音声処理部１５は、制御部２０の制御に従い、地上アナログ放送が終了する旨を示す予告画面Ｇｎ（図３参照）を表示させる画像信号Ｓｇを表示部１６に出力する。
【００１６】
表示部１６は、プロジェクタおよびスクリーンパネル等（いずれも図示せず）を備え、画像音声処理部１５から出力された画像信号Ｓｇに基づく各種の画像を表示する。具体的には、表示部１６は、画像信号Ｓｇに基づいて光変調した投写光をスクリーンパネルの背面側から投写することで各種の画像をスクリーンパネルに投写表示する。この場合、上記のプロジェクタは、例えば、光源と、光変調素子としての液晶ライトバルブと、投写レンズ（いずれも図示せず）とを備えて構成されている。なお、液晶ライトバルブに代えて、ＤＭＤ（Digital Micromirror Device：ＤＭＤは、米国テキサス・インスツルメンツ社の商標）を用いることもできる。音声出力部１７は、画像音声処理部１５から出力された音声信号Ｓｓに基づくテレビ音声を出力する。
【００１７】
リモコン１８は、図２に示すように、電源キー３１、ダイレクト選局キー３２、および切替キー３３などの各種のキーを備えて構成され、これらのキーが操作されたときに各キーに対応する赤外線信号Ｓｉを出力する。この場合、切替キー３３は、本発明における操作キーに相当し、放送形式を切り替える際に用いられる。ＩＲ受信部１９は、リモコン１８から出力された赤外線信号Ｓｉを受光してリモコン１８の各キー（操作内容）に対応する操作信号Ｓｏを制御部２０に出力する。制御部２０は、テレビ１を構成する各構成要素を制御する。また、制御部２０は、後述する第１切替処理５０を実行することにより、リモコン１８における切替キー３３の操作に従い、チューナ１１によって受信される放送信号Ｓｂの放送形式の切り替えをセレクタ１２に実行させる。また、制御部２０は、本発明における検出部として機能し、終了が決定している地上アナログ放送の終了予定日時と現在の日時とを比較することにより、地上アナログ放送の終了を検出する。
【００１８】
記憶部２１は、地上アナログ放送の終了予定日時を示す終了予定日時データＤｔｅ、上記した予告画面Ｇｎを表示させる期間を示す予告表示期間データＤｔｎ、第１切替順序データＤａ１および第２切替順序データＤａ２を記憶する。この場合、第１切替順序データＤａ１は、切替キー３３の操作によって上記した４つの放送形式を切り替える際の切替順序（本発明における所定の切替順序：以下、「第１切替順序」ともいう）を示すデータで構成されている。また、第２切替順序データＤａ２は、地上アナログ放送を除いた３つの放送形式を切り替える際の切替順序（本発明における新たな切替順序：以下、「第２切替順序」ともいう）を示すデータで構成されている。
【００１９】
次に、テレビ１の全体的な動作について、図面を参照して説明する。このテレビ１では、リモコン１８の電源キー３１が操作されたときに、リモコン１８が電源キー３１に対応する赤外線信号Ｓｉを出力し、ＩＲ受信部１９が、赤外線信号Ｓｉを受光して操作信号Ｓｏを出力する。次いで、制御部２０が、操作信号Ｓｏに従い、チューナ用電源部１３を制御して第１チューナ１１ａおよび第２チューナ１１ｂに電力Ｐを供給させると共に、図外の主電源部を制御してその他の各部に電力を供給させる。続いて、制御部２０は、セレクタ１２に対して放送形式の切替指示、およびチャンネルの選局指示を行う。
【００２０】
これに応じて、セレクタ１２は、直前の電源切断時に設定されていた放送形式（例えば、地上デジタル放送）への切り替えを実行して（この場合、実際には直前の電源切断時に設定されていた放送形式を維持する）第２チューナ１１ｂを制御することにより、直前の電源切断時に選局されていたチャンネルの地上デジタル放送信号Ｓｂ２を出力させる。次いで、デコーダ１４が、セレクタ１２から出力された放送信号Ｓｂを処理して放送信号Ｓｂｄを画像音声処理部１５に出力する。続いて、画像音声処理部１５が、放送信号Ｓｂｄに基づいて画像信号Ｓｇおよび音声信号Ｓｓを生成して表示部１６および音声出力部１７にそれぞれ出力する。これにより、図２に示すように、地上デジタル放送信号Ｓｂ２（画像信号Ｓｇ）に基づくテレビ画像Ｇｔが表示部１６に表示されると共に、地上デジタル放送信号Ｓｂ２（音声信号Ｓｓ）に基づくテレビ音声が音声出力部１７から出力される。
【００２１】
次に、制御部２０は、キー判別処理を実行する。このキー判別処理では、制御部２０は、リモコン１８の切替キー３３に対応する操作信号ＳｏがＩＲ受信部１９から出力されたか否か、つまり切替キー３３が操作されたか否かを判別する。ここで、放送形式を地上デジタル放送から他の放送形式に切り替える際には、切替キー３３を操作する。この際には、制御部２０は、上記のキー判別処理において切替キー３３が操作されたと判別して、図５に示す第１切替処理５０を実行する。この第１切替処理５０では、制御部２０は、上記した第１切替順序データＤａ１を記憶部２１から読み出して、第１切替順序（図３に示す順序）に基づいて次の放送形式を特定する（ステップ５１）。
【００２２】
この場合、現在設定されている放送形式が地上デジタル放送のため、制御部２０は、次の放送形式をＢＳ放送と特定する（図３参照）。次いで、制御部２０は、特定した次の放送形式が地上アナログ放送か否かを判別する（ステップ５２）。この場合、制御部２０は、次の放送形式が地上アナログ放送ではない（ＢＳ放送である）と判別して、セレクタ１２に対して、第１切替順序における次の放送形式（つまりＢＳ放送）への切替指示を行う（ステップ５３）。これに応じて、セレクタ１２は、ＢＳ放送への切り替えを実行して第２チューナ１１ｂを制御することにより、ＢＳ放送において最後に選局されていたチャンネルのＢＳ放送信号Ｓｂ３を出力させる。次いで、デコーダ１４および画像音声処理部１５が上記と同様の処理を行うことにより、図３に示すように、地上デジタル放送信号Ｓｂ２に基づくテレビ画像Ｇｔに代えて、ＢＳ放送信号Ｓｂ３に基づくテレビ画像Ｇｔが表示部１６に表示されると共に、ＢＳ放送信号Ｓｂ３に基づくテレビ音声が音声出力部１７から出力される。
【００２３】
続いて、切替キー３３が再び操作されたときには、制御部２０は、上記した第１切替処理５０のステップ５１において次の放送形式をＣＳ放送と特定し（図３参照）、ステップ５２において次の放送形式が地上アナログ放送ではないと判別する。次いで、制御部２０は、セレクタ１２に対して、第１切替順序における次の放送形式（つまりＣＳ放送）への切替指示を行う（ステップ５３）。これにより、図３に示すように、ＢＳ放送信号Ｓｂ３に基づくテレビ画像Ｇｔに代えて、ＣＳ放送信号Ｓｂ４に基づくテレビ画像Ｇｔが表示部１６に表示されると共に、ＣＳ放送信号Ｓｂ４に基づくテレビ音声が音声出力部１７から出力される。
【００２４】
次いで、切替キー３３が再び操作されたときには、制御部２０は、第１切替処理５０のステップ５１において次の放送形式を地上アナログ放送と特定し（図３参照）、ステップ５２において次の放送形式が地上アナログ放送であると判別する。この際には、制御部２０は、第２チューナ１１ｂから出力されている日時データＤｔに基づいて現在の日時を特定し（ステップ５４）、続いて、記憶部２１に記憶されている終了予定日時データＤｔｅを読み出して地上アナログ放送の終了予定日時を特定する（ステップ５５）。次いで、制御部２０は、現在の日時と終了予定日時とを比較して、現在の日時が終了予定日時以降か否かを判別する（ステップ５６）。この場合、制御部２０は、現在の日時が終了予定日時以降ではない（現在の日時が終了予定日時よりも前である）と判別したときには、セレクタ１２に対して地上アナログ放送への切替指示を行う（ステップ５７）。これにより、図３に示すように、ＣＳ放送信号Ｓｂ４に基づくテレビ画像Ｇｔに代えて、地上アナログ放送信号Ｓｂ１に基づくテレビ画像Ｇｔが表示部１６に表示されると共に、地上アナログ放送信号Ｓｂ１に基づくテレビ音声が音声出力部１７から出力される。
【００２５】
次いで、制御部２０は、記憶部２１に記憶されている予告表示期間データＤｔｎを読み出して予告表示期間を特定すると共に、現在の日時と予告表示期間とを比較して、現在の日時が予告表示期間内か否かを判別する（ステップ５８）。この場合、制御部２０は、現在の日時が予告表示期間内ではないと判別したときには、第１切替処理５０を終了する。一方、現在の日時が予告表示期間内であると判別したときには、制御部２０は、画像音声処理部１５に対して、予告画面Ｇｎの表示指示を行う（ステップ５９）。これに応じて画像音声処理部１５が予告画面Ｇｎの表示用の画像信号Ｓｇを出力することにより、図３に示すように、予告画面Ｇｎが表示部１６に表示される。
【００２６】
次に、終了予定日時が経過したときには、制御部２０は、チューナ用電源部１３を制御して、第１チューナ１１ａに対する電力Ｐの供給を停止する。このため、地上アナログ放送の終了に伴って作動させる必要性のなくなった第１チューナ１１ａに対する電力供給による電力の浪費が防止される。次いで、終了予定日時が経過した後に切替キー３３が操作されたときには、制御部２０は、上記と同様にして第１切替処理５０を実行する。この場合、この切替キー３３の操作前に設定（選択）されていた放送形式がＣＳ放送のときには、制御部２０は、ステップ５２において、第１切替順序における次の放送形式が地上アナログ放送であると判別して、ステップ５４〜５６を実行する。この際に、制御部２０は、ステップ５６において、現在の日時が終了予定日時以降であると判別して、次いで、記憶部２１に記憶されている第２切替順序データＤａ２を読み出して、第２切替順序（図４参照）に基づいて第２切替順序における次の放送形式を特定する（ステップ６０）。
【００２７】
この場合、第２切替順序では、図４に示すように地上アナログ放送が除かれて、ＣＳ放送の次が地上デジタル放送に規定されている。このため、制御部２０は、第２切替順序における次の放送形式としての地上デジタル放送への切替指示をセレクタ１２に対して行う（ステップ７１）。これにより、図４に示すように、ＣＳ放送信号Ｓｂ４に基づくテレビ画像Ｇｔに代えて、地上デジタル放送信号Ｓｂ２に基づくテレビ画像Ｇｔが表示部１６に表示されると共に、地上デジタル放送信号Ｓｂ２に基づくテレビ音声が音声出力部１７から出力される。この場合、上記したように、終了予定日時が経過した後に切替キー３３を操作したときには、地上アナログ放送を除いた第２切替順序で放送形式が切り替えられる。このため、このテレビ１では、砂嵐状態の画面が表示されて視聴者に不快感を与える事態を確実に回避することが可能となっている。
【００２８】
このように、このテレビ１および放送形式切替制御方法によれば、地上アナログ放送の終了の検出後において切替キー３３が操作されたときに、第１切替順序から地上アナログ放送を除いた第２切替順序での放送形式の切り替えをセレクタ１２に実行させることにより、地上アナログ放送の終了後においても地上アナログ放送への切り替えが行われる従来のテレビとは異なり、切替キー３３の操作によって砂嵐状態の画面が表示される事態を確実に回避することができるため、これに起因して視聴者に不快感を与える不都合を確実に防止することができる。
【００２９】
また、このテレビ１によれば、地上アナログ放送が終了する以前の予告表示期間において地上アナログ放送への切り替えをセレクタ１２に実行させる際に地上アナログ放送が終了する旨を示す予告画面Ｇｎを表示部１６に表示させることにより、地上アナログ放送の終了を視聴者に対して事前に報知することができる。したがって、視聴者は、録画予約の修正やチャンネルプリセットの修正等の事前の準備を確実に行うことができる。
【００３０】
次に、図６に示す本発明に係るテレビの他の構成例としてのテレビ１００について説明する。なお、以下の説明において、上記したテレビ１の構成要素と同じ構成要素については、同一の符号を付して重複する説明を省略する。このテレビ１００では、同図に示すように、上記した切替キー３３を有するリモコン１８に代えて、上記した４つの放送形式にそれぞれ対応付けられた複数（この例では、４つ）の指定キー３４ａ〜３４ｄ（本発明に係る操作キー：以下、区別しないときには「指定キー３４」ともいう）を有するリモコン１１８が採用されている。また、このテレビ１００では、制御部２０が、後述する第２切替処理７０を実行することにより、リモコン１１８における指定キー３４の操作に従って放送形式の切り替えをセレクタ１２に実行させる。さらに、このテレビ１００では、上記した各データに加えて、キー機能変更データＤｃが記憶部２１に記憶されている。この場合、キー機能変更データＤｃは、制御部２０によって実行される第２切替処理７０において、指定キー３４ｄを他のキーとして機能させる際に用いられる。
【００３１】
このテレビ１００では、電源が投入されている状態において、制御部２０が上記したキー判別処理を実行することにより、リモコン１１８の指定キー３４に対応する操作信号ＳｏがＩＲ受信部１９から出力されたか否か、つまり４つの指定キー３４のうちのいずれかが操作されたか否かを判別する。ここで、図６に示すように、放送形式が地上デジタル放送に設定されている状態において、地上デジタル放送からＢＳ放送に切り替える際には、ＢＳ放送に対応付けられている指定キー３４ｂ（同図参照）を操作する。この際に、制御部２０は、上記のキー判別処理において指定キー３４が操作されたと判別して、図７に示す第２切替処理７０を実行する。この第２切替処理７０では、制御部２０は、操作された指定キー３４が地上アナログ放送に対応付けられている指定キー３４ｄ（図６参照）か否かを判別する（ステップ７１）。
【００３２】
この場合、操作された指定キー３４が指定キー３４ｂのため、制御部２０は、指定キー３４ｄが操作されていないと判別して、次いで、操作された指定キー３４（指定キー３４ｂ）に対応付けられている放送形式（ＢＳ放送）への切替指示をセレクタ１２に対して行う（ステップ７２）。これにより、ＢＳ放送信号Ｓｂ３に基づくテレビ画像Ｇｔが表示部１６に表示されると共に、ＢＳ放送信号Ｓｂ３に基づくテレビ音声が音声出力部１７から出力される。
【００３３】
次に、地上デジタル放送に対応付けられている指定キー３４ａ（図６参照）を操作したときには、制御部２０は、上記した動作と同様にして、第２切替処理７０のステップ７１，７２を実行する。これにより、地上デジタル放送信号Ｓｂ２に基づくテレビ画像Ｇｔが表示部１６に表示されると共に、地上デジタル放送信号Ｓｂ２に基づくテレビ音声が音声出力部１７から出力される。また、ＣＳ放送に対応付けられている指定キー３４ｃ（図６参照）を操作したときにも、制御部２０が第２切替処理７０のステップ７１，７２を実行することにより、ＣＳ放送信号Ｓｂ４に基づくテレビ画像Ｇｔが表示部１６に表示されると共に、ＣＳ放送信号Ｓｂ４に基づくテレビ音声が音声出力部１７から出力される。
【００３４】
一方、地上アナログ放送に対応付けられている指定キー３４ｄを操作したときには、制御部２０は、第２切替処理７０のステップ７１において、指定キー３４ｄが操作されたと判別する。この際には、制御部２０は、第２チューナ１１ｂから出力される日時データＤｔに基づいて現在の日時を特定し（ステップ７３）、続いて、記憶部２１に記憶されている終了予定日時データＤｔｅを読み出して地上アナログ放送の終了予定日時を特定する（ステップ７４）。続いて、制御部２０は、現在の日時と終了予定日時とを比較して、現在の日時が終了予定日時以降か否かを判別する（ステップ７５）。この場合、制御部２０は、現在の日時が終了予定日時以降ではない（現在の日時が終了予定日時よりも前である）と判別したときには、地上アナログ放送への切替指示をセレクタ１２に対して行う（ステップ７６）。これにより、地上アナログ放送信号Ｓｂ１に基づくテレビ画像Ｇｔが表示部１６に表示されると共に、地上アナログ放送信号Ｓｂ１に基づくテレビ音声が音声出力部１７から出力される。
【００３５】
次いで、制御部２０は、記憶部２１に記憶されている予告表示期間データＤｔｎを読み出して予告表示期間を特定すると共に、現在の日時と予告表示期間とを比較して、現在の日時が予告表示期間内であるか否かを判別する（ステップ７７）。この場合、制御部２０は、現在の日時が予告表示期間内ではないと判別したときには、第２切替処理７０を終了する。一方、現在の日時が予告表示期間内であると判別したときには、制御部２０は、画像音声処理部１５に対して、予告画面Ｇｎの表示指示を行う（ステップ７８）。これにより、予告画面Ｇｎ（図３参照）が表示部１６に表示される。
【００３６】
次に、終了予定日時が経過したときには、制御部２０は、チューナ用電源部１３を制御して、第１チューナ１１ａに対する電力Ｐの供給を停止する。これにより、地上アナログ放送の終了に伴って作動させる必要性のなくなった第１チューナ１１ａに対する電力供給による電力の浪費が防止される。次いで、終了予定日時が経過した後に指定キー３４ｄを操作したときには、制御部２０は、第２切替処理７０のステップ７１において指定キー３４ｄが操作されたと判別して、続いて、ステップ７３〜７５を実行する。この場合、制御部２０は、ステップ７５において、現在の日時が終了予定日時以降であると判別して、次いで、記憶部２１に記憶されているキー機能変更データＤｃを読み出す。
【００３７】
続いて、制御部２０は、キー機能変更データＤｃに基づき、地上アナログ放送を除く他の放送形式（例えば地上デジタル放送）への切替指示をセレクタ１２に対して行う（ステップ７９）。つまり、制御部２０は、指定キー３４ｄの機能を地上アナログ放送への切替指示機能から地上デジタル放送への切替指示機能に変更する。これにより、地上デジタル放送信号Ｓｂ２に基づくテレビ画像Ｇｔが表示部１６に表示されると共に、地上デジタル放送信号Ｓｂ２に基づくテレビ音声が音声出力部１７から出力される。この場合、上記したように、終了予定日時が経過した後に指定キー３４ｄを操作したときには、地上アナログ放送への切替指示が地上アナログ放送を除く他の放送形式への切替指示に変更される。このため、このテレビ１では、砂嵐状態の画面が表示されて視聴者に不快感を与える事態を確実に回避することが可能となっている。なお、上記の例において、例えば、地上デジタル放送を選択している状態で指定キー３４ｄを操作したときには、制御部２０は、ステップ６９において地上デジタル放送に設定した状態を維持する。つまり、この際には、制御部２０は、セレクタ１２に対して地上アナログ放送への切り替えを停止させる。
【００３８】
このように、このテレビ１００および放送形式切替制御方法によれば、地上アナログ放送の終了の検出後において地上アナログ放送に対応付けられている指定キー３４ｄが操作されたときに、地上アナログ放送を除く他の放送形式への切り替えをセレクタ１２に実行させることにより、地上アナログ放送の終了後においても地上アナログ放送への切り替えが行われる従来のテレビとは異なり、指定キー３４ｄの操作によって砂嵐状態の画面が表示される事態を確実に回避することができるため、これに起因して視聴者に不快感を与える不都合を確実に防止することができる。
【００３９】
なお、本発明は、上記の構成に限定されない。例えば、制御部２０が終了予定日時データＤｔｅおよび日時データＤｔに基づいて地上アナログ放送の終了を自ら検出する例について上記したが、地上アナログ放送の終了を検出する検出部を備えた構成を採用することもできる。この場合、地上アナログ放送の終了を検出する構成としては、上記の各データＤｔｅ，Ｄｔに基づく方法を実行する構成に限定されず、地上アナログ放送信号Ｓｂ１の受信の有無や、地上アナログ放送信号Ｓｂ１の信号レベルに基づいて検出する構成を採用することもできる。
【００４０】
また、プロジェクタおよびスクリーンパネルを有する表示部１６を備えた例について上記したが、ＣＲＴ、液晶表示パネルおよびプラズマディスプレイ等で表示部１６を構成することもできる。
【図面の簡単な説明】
【００４１】
【図１】テレビ１の構成を示すブロック図である。
【図２】テレビ１の正面図である。
【図３】第１切替順序を説明するための説明図である。
【図４】第２切替順序を説明するための説明図である。
【図５】第１切替処理５０のフローチャートである。
【図６】テレビ１００の正面図である。
【図７】第２切替処理７０のフローチャートである。
【符号の説明】
【００４２】
１，１００  テレビ、１１ａ  第１チューナ、１１ｂ  第２チューナ、１２  セレクタ、１６  表示部、２０  制御部、３３  切替キー、３４ａ〜３４ｄ  指定キー、Ｄａ１  第１切替順序データ、Ｄａ２  第２切替順序データ、Ｄｔｎ  予告表示期間データ、Ｇｎ  予告画面、Ｇｔ  テレビ画像、Ｓｂ１  地上アナログ放送信号、Ｓｂ２  地上デジタル放送信号、Ｓｂ３  ＢＳ放送信号、Ｓｂ４  ＣＳ放送信号
【図１】
2008160246.tif 000003
【図２】
2008160246.tif 000004
【図３】
2008160246.tif 000005
【図４】
2008160246.tif 000006
【図５】
2008160246.tif 000007
【図６】
2008160246.tif 000008
【図７】
2008160246.tif 000009